(57)【要約】【課題】別の録音装置により録音された音声と撮影された動画の同期を容易に取ることができる撮像装置を提供する。【解決手段】音声を出力するスピーカ６と、動画を撮影する動画撮影部２０と、前記音声と前記動画の同期位置を指示する指示手段１４と、前記動画撮影部による撮影中に前記指示手段による指示が行われた場合に前記スピーカから前記音声を出力する音声出力制御部８と、前記動画撮影部により撮影されている動画を構成するフレーム画像の中で、前記音声の出力時に撮像されているフレーム画像を同期フレーム画像として特定するフレーム画像特定手段４とを備える。【選択図】図１
2012182762.tif 000002
【特許請求の範囲】
【請求項１】
音声を出力するスピーカと、
動画を撮影する動画撮影部と、
前記音声と前記動画の同期位置を指示する指示手段と、
前記動画撮影部による撮影中に前記指示手段による指示が行われた場合に前記スピーカから前記音声を出力する音声出力制御部と、
前記動画撮影部により撮影されている動画を構成するフレーム画像の中で、前記音声の出力時に撮像されているフレーム画像を同期フレーム画像として特定するフレーム画像特定手段と
を備えることを特徴とする撮像装置。
【請求項２】
前記フレーム画像特定手段は、
照明光を射出する照明装置と、
前記音声の出力時に前記照明装置から照明光を射出させる照明制御部とを備えること特徴とする請求項１記載の撮像装置。
【請求項３】
前記照明光の射出態様と前記音声の出力態様とが対応づけられていること特徴とする請求項２記載の撮像装置。
【請求項４】
前記フレーム画像特定手段は、前記同期フレーム画像に所定のマークを埋め込むことを特徴とする請求項１記載の撮像装置。
【請求項５】
前記フレーム画像特定手段は、前記同期フレーム画像にチャプタに関する情報を付加することを特徴とする請求項１記載の撮像装置。
【請求項６】
前記指示手段は、前記動画撮影部による動画撮影の開始を指示するボタンであり、
前記フレーム画像特定手段は、前記動画撮影部により撮影されている動画を構成するフレーム画像の中で、最初のフレーム画像を前記同期フレーム画像として特定することを特徴とする請求項１記載の撮像装置。
【発明の詳細な説明】
【技術分野】
【０００１】
本発明は、撮像装置に関するものである。
【背景技術】
【０００２】
従来から、記録媒体に記録済みの映像データに新たな音声データの追加記録を行うことができる映像記録装置が存在する（例えば、特許文献１参照）。特許文献１に記載の映像記録装置によれば、映像データの所定のチャプタを指定し、指定したチャプタに対応する時間だけ音声データを追加記録する。
【先行技術文献】
【特許文献】
【０００３】
【特許文献１】特開２００４−３５７１２７号公報
【発明の概要】
【発明が解決しようとする課題】
【０００４】
しかしながら、特許文献１に記載の映像記録装置においては、映像データと音声データの同期を取るための手段が存在しないため、映像データと音声データの同期を取ることが困難であった。
【０００５】
本発明の目的は、別の録音装置により録音された音声と撮影された動画との同期を容易に取ることができる撮像装置を提供することである。
【課題を解決するための手段】
【０００６】
本発明の撮像装置は、音声を出力するスピーカと、動画を撮影する動画撮影部と、前記音声と前記動画の同期位置を指示する指示手段と、前記動画撮影部による撮影中に前記指示手段による指示が行われた場合に前記スピーカから前記音声を出力する音声出力制御部と、前記動画撮影部により撮影されている動画を構成するフレーム画像の中で、前記音声の出力時に撮像されているフレーム画像を同期フレーム画像として特定するフレーム画像特定手段とを備えることを特徴とする。
【発明の効果】
【０００７】
本発明によれば、別の録音装置により録音された音声と撮影された動画の同期を容易に取ることができる。
【図面の簡単な説明】
【０００８】
【図１】第１の実施の形態に係るビデオカメラのシステム構成を示すブロック図である。
【図２】第１の実施の形態に係るビデオカメラの撮影処理を示すフローチャートである。
【図３】第２の実施の形態に係るビデオカメラの撮影処理を示すフローチャートである。
【図４】第３の実施の形態に係るビデオカメラの撮影処理を示すフローチャートである。
【図５】第４の実施の形態に係るビデオカメラの撮影処理を示すフローチャートである。
【発明を実施するための形態】
【０００９】
以下、図面を参照して、本発明の第１の実施の形態に係る撮影装置についてビデオカメラを例に説明する。図１は、本発明の第１の実施の形態に係るビデオカメラのシステム構成を示すブロック図である。図１に示すように、ビデオカメラ２は、ビデオカメラ２の各部を統括的に制御する制御部４を備えている。制御部４には、スピーカ６からの音声出力を制御するスピーカ制御部８、フラッシュ１０の発光を制御するフラッシュ制御部１２、スピーカ６からの音声出力とフラッシュ１０の発光を指示する閃光スイッチ１４、動画撮影の開始または終了を指示するＲＥＣボタン、電源スイッチ等を含む操作入力部１８、撮影部２０を制御する撮影制御部２２及び撮像素子２４から出力される撮像信号に基づく画像データに、ホワイトバランス調整、輪郭補償、ガンマ補正等の画像処理を行う画像処理部３２が接続されている。
【００１０】
ここで、撮影部２０は、撮影レンズ２６、絞り２８、シャッタ２９及び撮像素子２４を備えている。撮像素子２４は、撮影レンズ２６、絞り２８及びシャッタ２９を介した被写体光を撮像して撮像信号（蓄積電荷としてのアナログ信号）を生成するＣＣＤ或いはＣＭＯＳ等により構成される。
【００１１】
画像処理部３２には、画像処理が行われた画像データをメモリカード３６に記録する画像記録部３４及びＬＣＤ表示部４０に表示するスルー画等の画像データを一時的に記憶するバッファメモリ３８が接続されている。
【００１２】
次に、図２に示すフローチャートを参照して本発明の第１の実施の形態に係るビデオカメラ２の撮影処理について説明する。ここで、ビデオカメラ２による動画撮影時には、ビデオカメラ２とは別の録音装置によりビデオカメラ２の周辺の音声が録音されていることを前提に説明する。
【００１３】
操作者が電源スイッチでビデオカメラ２の電源をオンにすると、制御部４は操作入力部１８の操作を読み取り（ステップＳ１０）、操作者によりＲＥＣボタンが押下された状態である場合には（ステップＳ１２、Ｙｅｓ）、撮影部２０による動画撮影を実行する。ここで動画撮影は、動画を構成する１つのフレーム画像を取得する露光制御動作を繰り返すことにより行われる。
【００１４】
即ち、制御部４は露光信号をＯＮにすることにより（ステップＳ１４）、撮影制御部２２を制御して撮影部２０のシャッタ２９を開き撮像素子２４に露光を開始させる。
【００１５】
また、制御部４は閃光スイッチ１４が押下されたか否かを読み取り（ステップＳ１６）、操作者により閃光スイッチ１４が押下されたと判別した場合には（ステップＳ１８、Ｙｅｓ）、フラッシュ制御部１２を制御してフラッシュ１０を発光させ（ステップＳ２０）、スピーカ制御部８を制御してスピーカ６を鳴動させ音声を出力する（ステップＳ２２）。なお、フラッシュ１０の発光は撮像素子２４の露光中、即ち撮像素子２４による電荷蓄積中に行われる。これにより、スピーカ６からの音声出力時に撮影部２０により撮影されている動画を構成するフレーム画像にはフラッシュ１０による閃光の画像が含まれる。従って、このフレーム画像が同期フレーム画像として特定される。また、録音装置にはスピーカ６から出力された音声が録音される。
【００１６】
制御部４は、１つのフレーム画像を取得するための撮像素子２４の露光時間が経過すると（ステップＳ２４、Ｙｅｓ）、露光信号をＯＦＦにする（ステップＳ２６）。即ち、制御部４は撮影制御部２２を制御して撮影部２０のシャッタ２９を閉じ撮像素子２４の露光を終了する。撮像素子２４から出力された１つのフレーム画像の画像データは、画像処理部３２に入力される。制御部４は、画像処理部３２を制御して入力されたフレーム画像の画像データに対してホワイトバランス調整、輪郭補償、ガンマ補正等の画像処理を行う（ステップＳ２８）。そして画像記録部３４により、画像処理が行われたフレーム画像の画像データをメモリカード３６に記録する（ステップＳ３０）。
【００１７】
制御部４は、操作入力部１８の操作を再度読み取り（ステップＳ１０）、動画撮影中にＲＥＣボタンが再度押下されていないと判別した場合には（ステップＳ１２、Ｙｅｓ）、ステップＳ１４〜ステップＳ３０までの処理を繰り返し、動画撮影を継続する。一方、制御部４は動画撮影中にＲＥＣボタンが再度押下されたと判別した場合には（ステップＳ１２、Ｎｏ）、動画撮影を終了する。
【００１８】
本発明の第１の実施の形態に係るビデオカメラによれば、ビデオカメラにより記録された動画と録音装置により録音された音声を結合する編集を行う場合に、フラッシュによる閃光の画像を含むフレーム画像及びスピーカからの音声を基準にして、動画と音声の同期を容易にとることができる。
【００１９】
なお、上述の第１の実施の形態において、ビデオカメラ２を２台使用して３Ｄ映像の撮影を行い各ビデオカメラにより記録された動画の同期及び録音装置により録音された音声の同期をとるようにしてもよい。この場合、各ビデオカメラにより記録された動画においてフラッシュによる閃光の画像を含むフレーム画像を基準にすることにより、２台のビデオカメラにより記録された動画の同期及び録音装置により録音された音声の同期を容易にとることができる。
【００２０】
次に、本発明の第２の実施の形態に係るビデオカメラについて説明する。なお、第２の実施の形態に係るビデオカメラの構成は、図１に示すビデオカメラ２の構成と同一である。従って、第１の実施の形態と同一の構成についての詳細な説明は省略し、第１の実施の形態と同一の構成には同一の符号を付して説明する。ここで、ビデオカメラ２による動画撮影時には、ビデオカメラ２とは別の録音装置によりビデオカメラ２の周辺の音声が録音されていることを前提に説明する。
【００２１】
図３は第２の実施の形態に係るビデオカメラ２の撮影処理を示すフローチャートである。操作者が電源スイッチを操作することによりビデオカメラ２の電源をオンにすると、制御部４は操作入力部１８の操作を読み取り（ステップＳ４０）、操作者によりＲＥＣボタンが押下された状態である場合には（ステップＳ４２、Ｙｅｓ）、撮影部２０による動画撮影を実行する。
【００２２】
即ち、制御部４は露光信号をＯＮにすることにより（ステップＳ４４）、撮影制御部２２を制御して撮像素子２４に露光を開始させる。また、制御部４は閃光スイッチ１４が押下されたか否かを読み取り（ステップＳ４６）、操作者により閃光スイッチ１４が押下されたと判別した場合には（ステップＳ４８、Ｙｅｓ）、スピーカ制御部８を制御してスピーカ６を鳴動させ音声を出力する（ステップＳ５０）。これにより、録音装置にはスピーカ６から出力された音声が録音される。そして、制御部４は撮像素子２４の露光時間が経過すると（ステップＳ５２、Ｙｅｓ）、露光信号をＯＦＦにする（ステップＳ５４）。即ち、制御部４は撮影制御部２２を制御して撮像素子２４の露光を終了する。撮像素子２４から出力された１つのフレーム画像の画像データは画像処理部３２に入力される。
【００２３】
制御部４は、ステップＳ４８において閃光スイッチ１４が押下されたと判別した場合には（ステップＳ５６、Ｙｅｓ）、画像処理部３２を制御して入力されたフレーム画像の画像データに対してホワイトバランス調整等の画像処理を行うと共にフレーム画像の所定の領域に所定のマーク（例えば黒色の円のマーク）を埋め込む（ステップＳ５８）。これにより、スピーカ６からの音声出力時に撮影部２０により撮影されている動画を構成するフレーム画像には所定のマークが埋め込まれ、同期フレーム画像として特定される。
【００２４】
一方、制御部４は、ステップＳ４８において閃光スイッチ１４が押下されていないと判別した場合には（ステップＳ５６、Ｎｏ）、画像処理部３２を制御して入力されたフレーム画像の画像データに対してホワイトバランス調整等の画像処理を行う（ステップＳ６０）。そして画像記録部３４により、画像処理が行われたフレーム画像の画像データをメモリカード３６に記録する（ステップＳ６２）。
【００２５】
制御部４はステップＳ４０〜ステップＳ６２までの処理を繰り返し動画撮影を行う。そして、制御部４は動画撮影中にＲＥＣボタンが再度押下されたと判別した場合には（ステップ４２、Ｎｏ）、動画撮影を終了する。
【００２６】
本発明の第２の実施の形態に係るビデオカメラによれば、ビデオカメラにより記録された動画と録音装置により録音された音声を結合する編集を行う場合に、所定のマークが埋め込まれたフレーム画像及びスピーカからの音声を基準にして、動画と音声の同期を容易にとることができる。
【００２７】
次に、本発明の第３の実施の形態に係るビデオカメラについて説明する。なお、第３の実施の形態に係るビデオカメラの構成は、図１に示すビデオカメラ２の構成と同一であるため、第１の実施の形態と同一の符号を付して説明する。ここで、ビデオカメラ２による動画撮影時には、ビデオカメラ２とは別の録音装置によりビデオカメラ２の周辺の音声が録音されていることを前提に説明する。
【００２８】
図４は第３の実施の形態に係るビデオカメラ２の撮影処理を示すフローチャートである。操作者が電源スイッチを操作することによりビデオカメラ２の電源をオンにすると、制御部４は、図３に示すステップＳ４０〜ステップＳ５４と同様にステップＳ７０〜ステップＳ８４の処理を行う。ここで、制御部４はステップＳ７８において閃光スイッチ１４が押下されたと判別した場合には（ステップＳ７８、Ｙｅｓ）、スピーカ制御部８を制御してスピーカ６を鳴動させ音声を出力するため（ステップＳ８０）、録音装置にはスピーカ６から出力された音声が録音される。
【００２９】
撮像素子２４から出力された１つのフレーム画像の画像データは、画像処理部３２に入力される。制御部４は、画像処理部３２を制御して入力されたフレーム画像の画像データに対して画像処理を行う（ステップＳ８６）。次に、制御部４はステップＳ７８において閃光スイッチ１４が押下されたと判別した場合には（ステップＳ８８、Ｙｅｓ）、画像処理が行われたフレーム画像の画像データにチャプタの設定を行うためのチャプタに関する情報を付加する（ステップＳ９０）。これにより、スピーカ６からの音声出力時に撮影部２０により撮影されている動画を構成するフレーム画像の画像データにチャプタに関する情報が付加され、同期フレーム画像として特定される。そして、制御部４はチャプタに関する情報が付加されたフレーム画像の画像データをメモリカード３６に記録する（ステップＳ９２）。
【００３０】
制御部４はステップＳ７０〜ステップＳ９２までの処理を繰り返し動画撮影を行う。そして、制御部４は動画撮影中にＲＥＣボタンが再度押下されたと判別した場合には（ステップ７２、Ｎｏ）、動画撮影を終了する。
【００３１】
本発明の第３の実施の形態に係るビデオカメラによれば、ビデオカメラにより記録された動画と録音装置により録音された音声を結合する編集を行う場合に、チャプタに関する情報が付加されているフレーム画像の画像データ及びスピーカからの音声を基準にして、動画と音声の同期を容易にとることができる。
【００３２】
次に、本発明の第４の実施の形態に係るビデオカメラについて説明する。なお、第４の実施の形態に係るビデオカメラの構成は、図１に示すビデオカメラ２の構成と同一であるため、第１の実施の形態と同一の符号を付して説明する。ここで、ビデオカメラ２による動画撮影時には、ビデオカメラ２とは別の録音装置によりビデオカメラ２の周辺の音声が録音されていることを前提に説明する。
【００３３】
図５は第４の実施の形態に係るビデオカメラ２の撮影処理を示すフローチャートである。操作者がビデオカメラ２の電源をオンにすると、制御部４は操作入力部１８の操作を読み取り（ステップＳ１００）、操作者によりＲＥＣボタンが押下された状態である場合には（ステップＳ１０２、Ｙｅｓ）、撮影部２０により動画撮影を実行する。
【００３４】
即ち、制御部４は露光信号をＯＮにすることにより（ステップＳ１０４）、撮影制御部２２を制御して撮像素子２４に露光を開始させる。また、制御部４は露光制御動作により取得するフレーム画像が動画を構成する最初のフレーム画像である場合には（ステップＳ１０６、Ｙｅｓ）、スピーカ制御部８を制御してスピーカ６を鳴動させ音声を出力する（ステップＳ１０８）。これにより、録音装置にはスピーカ６から出力された音声が録音される。この場合には、動画を構成する最初のフレーム画像が同期フレーム画像として特定される。
【００３５】
制御部４は、撮像素子２４の露光時間が経過すると（ステップＳ１１０、Ｙｅｓ）、露光信号をＯＦＦにする（ステップＳ１１２）。即ち、制御部４は撮影制御部２２を制御して撮像素子２４の露光を終了する。撮像素子２４から出力された１つのフレーム画像の画像データは、画像処理部３２に入力される。制御部４は、画像処理部３２を制御して入力されたフレーム画像の画像データに対して画像処理を行う（ステップＳ１１４）。そして画像記録部３４により、画像処理が行われたフレーム画像の画像データをメモリカード３６に記録する（ステップＳ１１６）。
【００３６】
制御部４はステップＳ１００〜ステップＳ１１６までの処理を繰り返すことで動画撮影を行う。そして、制御部４は動画撮影中にＲＥＣボタンが再度押下された場合には（ステップ１０２、Ｎｏ）、動画撮影を終了する。
【００３７】
本発明の第４の実施の形態に係るビデオカメラによれば、ビデオカメラにより記録された動画と別の録音装置により録音された音声を結合する編集を行う場合に、動画を構成する最初のフレーム画像及びスピーカからの音声を基準にして、映像と音声の同期を容易にとることができる。
【００３８】
なお、上述の第１の実施の形態において、フラッシュ１０の発光態様とスピーカ６からの音声の出力態様とを対応づけて複数の動画と複数の音声との同期をとるようにしてもよい。
【００３９】
例えば、制御部４は閃光スイッチ１４が押下された回数が１回目と判別した場合には、フラッシュ制御部１２を制御してフラッシュ１０を所定時間発光させる。さらに、制御部４はスピーカ制御部８を制御してスピーカ６を鳴動させフラッシュ１０の発光時間に対応する音声（例えば“ピー”等）を出力する。制御部４は閃光スイッチ１４が押下された回数が２回目と判別した場合には、フラッシュ制御部１２を制御してフラッシュ１０を１回目よりも長い時間発光させる。さらに、制御部４はスピーカ制御部８を制御してスピーカ６を鳴動させフラッシュ１０の発光時間に対応する音声（例えば“ピーピー”等）を出力する。
【００４０】
これにより、スピーカ６からの音声出力時に撮影部２０により撮影されている動画を構成するフレーム画像には、フラッシュ１０による閃光の帯の画像が含まれる。また、録音装置にはスピーカ６から出力されたフラッシュ１０の発光時間に対応する音声が録音される。ここで、フレーム画像に含まれるフラッシュ１０による閃光の帯の画像の幅は、撮影部２０のローリングシャッタ幕速とフラッシュ１０の発光時間の組み合わせにより決定されるため、１回目に閃光スイッチ１４が押下された場合に比較して２回目に閃光スイッチ１４が押下された場合の方がフラッシュ１０による閃光の帯の画像の幅が大きくなる。
【００４１】
従って、ビデオカメラ２により記録された複数の動画と別の録音装置により録音された複数の音声を結合する編集を行う場合に、動画のフレーム画像に含まれるフラッシュ１０による閃光の帯の画像の幅及びスピーカ６からの音声出力の回数を基準にして、複数の動画と複数の音声の同期を容易にとることができる。
【００４２】
また、上述の第１の実施の形態において、フラッシュ１０の発光回数とスピーカ６からの音声出力の回数とを対応づけてもよい。例えば、制御部４は閃光スイッチ１４が押下された回数が１回目と判別した場合には、フラッシュ制御部１２を制御してフラッシュ１０を１回発光させる。さらに、制御部４はスピーカ制御部８を制御してスピーカ６を鳴動させフラッシュ１０の発光回数に対応する音声（例えば“ピー”等）を出力する。制御部４は閃光スイッチ１４が押下された回数が２回目と判別した場合には、フラッシュ制御部１２を制御してフラッシュ１０を２回発光させる。さらに、制御部４はスピーカ制御部８を制御してスピーカ６を鳴動させフラッシュ１０の発光回数に対応する音声（例えば“ピーピー”等）を出力する。
【００４３】
これにより、スピーカ６からの音声出力時に撮影部２０により撮影されている動画を構成するフレーム画像には、フラッシュ１０による閃光の帯の画像がフラッシュ１０の発光回数に応じた数量含まれる。また、録音装置にはスピーカ６から出力されたフラッシュ１０の発光回数に対応する音声が録音される。
【００４４】
従って、ビデオカメラ２により記録された複数の動画と別の録音装置により録音された複数の音声を結合する編集を行う場合に、フレーム画像に含まれるフラッシュ１０による閃光の帯の本数及びスピーカ６からの音声出力の回数を基準にして、複数の動画と複数の音声の同期を容易にとることができる。
【００４５】
また、フラッシュ１０の発光時間または発光回数と、異なる周波数による音声を対応づけて、複数の動画と複数の音声の同期をとるようにしてもよい。
【符号の説明】
【００４６】
２…ビデオカメラ、４…制御部、６…スピーカ、１０…フラッシュ、１４…閃光スイッチ、２０…撮影部、２２…撮影制御部。
【図１】
2012182762.tif 000003
【図２】
2012182762.tif 000004
【図３】
2012182762.tif 000005
【図４】
2012182762.tif 000006
【図５】
2012182762.tif 000007